(57)【要約】【課題】輸送や保管中にフィルター濾材を破損、汚損などから十分に保護することのできるエアーフィルターを提供する。【解決手段】輸送や保管中には、フィルター濾材１の外周を囲む紙製のフィルター枠２の一側面の空気流入用および他側面の空気流出用の各開口部４，５が、切取線６に沿って引きちぎり可能な蓋７，８でそれぞれ塞がれているので、フィルター濾材１を破損、汚損などから十分に保護することができる。使用、設置に際しては蓋７，８を切取線６に沿って引きちぎることにより空気流入用及び空気流出用の各開口部４，５を容易に開放することができる。【選択図】    図２
2004154653.tif 000002
【特許請求の範囲】
【請求項１】
フィルター濾材と、このフィルター濾材の外周を囲み、一側面に空気流入用の開口部を、他側面に空気流出用の開口部をそれぞれ有する紙製のフィルター枠とからなるエアーフィルターにおいて、前記フィルター枠の一側面および他側面がそれぞれ盲板状に形成され、この盲板状の一側面および他側面の前記開口部の各開口縁に相当する箇所に切取線がそれぞれ設けられるとともに、この切取線で囲まれる蓋がそれぞれ設けられており、各蓋が前記切取線に沿ってちぎり取られることにより前記開口部が形成されるように構成されていることを特徴とする、エアーフィルター。
【請求項２】
前記フィルター枠が、前記切取線で囲まれる蓋を有する盲板状の箱底板と、この箱底板の外周に連設した側板とを備えた２個の箱状体を前記箱底板どうしが対向するように嵌合してなる、請求項１記載のエアーフィルター。
【請求項３】
前記切取線上の一箇所もしくは数箇所に指挿入部を設けている、請求項１又は２に記載のエアーフィルター。
【請求項４】
前記フィルター濾材がジグザグ状に折り返されており、前記フィルター枠の内側に、前記フィルター濾材の折り返し間隙の間に係合するフィルター濾材ずれ阻止片が突設されている、請求項１ないし３のいずれかに記載のエアーフィルター。
【請求項５】
前記フィルター枠の内面と前記フィルター濾材の両端部とが両面接着テープで接合されている、請求項４記載のエアーフィルター。
【発明の詳細な説明】
【０００１】
【発明の属する技術分野】
本発明は、フィルター枠内にフィルター濾材を装着してなるエアーフィルターに関する。
【０００２】
【従来の技術】
この種のエアーフィルターとして、紙材を折り曲げてフィルター濾材の外周を囲み得る四角形状に組み立てたものがある（例えば、特許文献１参照。）。このエアーフィルターによれば、フィルター枠には紙材を使用しているので、フィルター枠を焼却により廃棄処分を行い易い。
【０００３】
【特許文献１】
特開平８−２２９３２７号公報
【０００４】
【発明が解決しようとする課題】
しかるに、紙製のフィルター枠内にフィルター濾材を装着してなる上記エアーフィルターでは、フィルター濾材がフィルター枠の一側の空気流入用開口部および他側の空気流出用開口部から露出した状態にあるので、輸送や保管中においてフィルター濾材を破損、汚損などから保護するために、またフィルター枠の変形を防止するために、さらに荷扱いをし易くするために、包装紙や包装袋、あるいは包装ケースなどの包装体で包装されるが、包装のコストアップを招いていた。
【０００５】
そこで、本発明の目的は、上記のような、紙製のフィルター枠内にフィルター濾材を装着してなるエアーフィルターにおいて、フィルター枠の構造に改良を加えることにより輸送や保管中にフィルター濾材を破損、汚損などから十分に保護することができるとともにフィルター枠の変形を防止できて包装コストの削減を図れるエアーフィルターを提供することにある。
【０００６】
【課題を解決するための手段】
本発明は、フィルター濾材と、このフィルター濾材の外周を囲み、一側面に空気流入用の開口部を、他側面に空気流出用の開口部をそれぞれ有する紙製のフィルター枠とからなるエアーフィルターにおいて、前記フィルター枠の一側面および他側面がそれぞれ盲板状に形成され、この盲板状の一側面および他側面の前記開口部の各開口縁に相当する箇所に切取線がそれぞれ設けられるとともに、この切取線で囲まれる蓋がそれぞれ設けられており、各蓋が前記切取線に沿ってちぎり取られることにより前記開口部が形成されるように構成されていることに特徴を有するものである。
【０００７】
このように構成されたエアーフィルターによれば、輸送や保管中にはフィルター枠の一側の空気流入用および他側の空気流出用の各開口部は蓋で塞がれているので、フィルター濾材を破損、汚損などから十分に保護することができるとともにフィルター枠の変形を防止でき、また荷扱いをし易い。
【０００８】
そして、使用、設置に際しては蓋を切取線に沿って引きちぎることによりフィルター枠の一側の空気流入用および他側の空気流出用の各開口部を容易に開放することができる。
【０００９】
ひとつの好適な態様として、本発明によるエアーフィルターは、前記フィルター枠が、前記切取線で囲まれる蓋を有する盲板状の箱底板と、この箱底板の外周に連設した側板とを備えた２個の箱状体を前記箱底板どうしが対向するように嵌合してなるものとすることができる。そのことによりフィルター枠を簡単に組み立てることができる。
【００１０】
また、前記切取線上の一箇所もしくは数箇所に指挿入部を設けることができる。これにより蓋を指で掴み易く引きちぎり操作が容易に行える。前記フィルター濾材はジグザグ状に折り返しており、前記フィルター枠の内側に、前記フィルター濾材の折り返し間隙の間に係合するフィルター濾材ずれ阻止片を突設することができる。これによりフィルター枠内においてフィルター濾材がずれるのをフィルター濾材ずれ阻止片によって防止できることになる。
【００１１】
さらに、前記フィルター枠の内面と前記フィルター濾材の両端部とを両面接着テープで接合することができる。そのことにより、フィルター枠内においてフィルター濾材がずれるのを防止できるとともに、フィルター枠の内面とフィルター濾材の端部との間の隙間から流入空気がフィルター濾材で濾過されないまま下流側へ漏れるのを防止できることになる。
【００１２】
【発明の実施の形態】
以下、本発明に係るエアーフィルターの好適な実施形態を図面に基づき説明する。図１は本発明の一実施例を示すエアーフィルターの組み立て後の斜視図、図２は図１におけるＡ−Ａ線断面図、図３は図１におけるＢ−Ｂ線断面図、図４は図１のエアーフィルターのフィルター枠の組み立て途上の状態を示す斜視図、図５は図１のエアーフィルターのフィルター濾材の斜視図、図６は図１のエアーフィルターのフィルター枠の展開平面図、図７は図１のエアーフィルターを使用可能状態に変身させた状態の斜視図、図８は図７におけるＣ−Ｃ線断面図である。
【００１３】
図１ないし図３において、エアーフィルターはフィルター濾材１と、このフィルター濾材１の外周を囲む紙製のフィルター枠２とからなる。フィルター枠２は、四角形状の枠本体３を有し、この枠本体３の一側の空気流入用および他側の空気流出用の各開口部４，５（図７、図８参照）が、該枠本体３に一重又は二重のミシン目等による切取線６を介して一体に設けられかつ該切取線６に沿って引きちぎり可能な蓋７，８でそれぞれ塞がれている。切取線６は開口部４，５の各開口縁に相当する個所に設けられている。
【００１４】
フィルター濾材１の素材としては合成繊維を使用し、合成繊維のうちでも特に洗浄によく耐え、また付着ゴミ粒子を洗い落し易いポリエチレン繊維、ポリプロピレン繊維等のポリオレフィン系繊維が使用される。ポリオレフィン系繊維を不織布あるいは編物、織物などの布帛にし、この布帛を図５に示すごとくジグザグ状に折り返すことによりフィルター濾材１が構成される。ジグザグ状に折り返してなるフィルター濾材１は、流入空気との接触面積をできる限り増大して通気抵抗を低減し空気の濾過処理量を高めることができる。
【００１５】
一方、フィルター枠２は、図２ないし図４に示すように、２つの四角形状の枠本体３の各開口部４，５（図７、図８参照）が該枠本体３に切取線６を介して引きちぎり可能に設けた蓋７，８でそれぞれ塞がれ該蓋７，８を有する盲板状の箱底板１７，２８と、この箱底板１７，２８の各外周に連設した側板１７，１８，１９，２０、２５，２６，２７とを備えた２個の箱状体９，１０を嵌合してなる。
【００１６】
このフィルター枠２を構成する２個の箱状体９，１０は、この展開平面図を図６に示すように、紙材を打ち抜くことにより、四角形の蓋７と、この蓋７の四方に切取線６を介してそれぞれ連設された細幅の開口縁板１１，１２，１３，１４とを有する箱底板１５を形成し、この箱底板１５の三方の開口縁板１１，１２，１３にそれぞれ折目線１６を介して側板１７，１８，１９を連設し、箱底板１５の残りの開口縁板１４に折目線１６を介して共用側板２０の一側端を連設する一方、該共用側板２０の他側端には、前記箱底板１５と同じように蓋８とこの蓋８の四方に切取線６を介してそれぞれ連設された細幅の開口縁板２１，２２，２３，２４とを有し、かつ三方の開口縁板２１，２２，２３に側板２５，２６，２７をそれぞれ折目線１６を介して連設した箱底板２８が折目線１６を介して連設されている。
【００１７】
上記側板１７，１９の各中間部には切り込みを入れてフィルター濾材ずれ阻止片２９を切り起し可能に形成する。共用側板２０の両端とこれに隣接する側板１７，１９の各一端との間に折込片３０，３１をそれぞれ連設する。側板１８，２６の各両端にそれぞれ折込片３２，３３，３４，３５を連設する。
【００１８】
切取線６上の一箇所又は数箇所には、蓋７，８を引きちぎる時に該蓋７，８の一部を掴み易くするための指挿入部３６を設けている。図示例の指挿入部３６は四角形状の切取線６の対角部にそれぞれ孔を開けている。
【００１９】
次に、上記のように紙材を打ち抜くことにより形成された箱状体９，１０を展開状態からフィルター枠２に組み立てるとともに、このフィルター枠２内にフィルター濾材１を装着する手順の一例を説明する。
【００２０】
図４に示すように、まず、一方の箱底板１５の各折目線１６を折り曲げて各側板１７，１８，１９及び共用側板２０を箱底板１５の四方にそれぞれ直角に立ち上げ、かつ共用側板２０の両端とこれに隣接する側板１７，１９の各一端との間に連設された折込片３０，３１を内側に折り込むと共に、側板１８の両端に連設した折込片３２，３３を側板１７，１９の各端部の内側に折り込んで重ね合わせこの重合面間を糊等で接合することにより片方の箱状体９を組み立てる。
【００２１】
次いで、同じように他方の箱底板２８の各折目線１６を折り曲げて各側板２５，２６，２７を箱底板２８の三方に直角に立ち上げるとともに、側板２６の両端に連設した折込片３４，３５を側板２５，２７の各端部の内側に折り込んで重ね合わせこの重合面間を糊等で接合することにより他方の箱状体１０を組み立てる。箱状体１０は箱状体９に外嵌できるように該箱状体９よりも僅かに大きい寸法に設定されている。
【００２２】
かくして、一方の箱状体９の中に図５に示すフィルター濾材１を組み込む。その際、箱状体９の側板１７，１９からフィルター濾材ずれ阻止片２９を図４中に二点鎖線で示すごとく内方へ突出させて、図２に示すごとくフィルター濾材１の折り返し間隙の間に係合させることにより箱状体９内においてフィルター濾材１が波打ち方向にずれるのを防止する。また、図２に示すように、箱状体９の側板１８の内面及び共用側板２０の各内面とこれら内面に重合するフィルター濾材１１の両端部１ａ，１ｂとの重合部は両面接着テープ３７で接合することにより、箱状体９内においてフィルター濾材１が位置ずれするのを防止するとともに、箱状体９の側板１８及び共用側板２０の各内面とフィルター濾材１の両端部１ａ，１ｂとの間の隙間から流入空気がフィルター濾材１で濾過されないまま下流側へ漏れるのを防止する。
【００２３】
最後に、図１ないし図３に示すように、フィルター濾材１の入れられた箱状体９に対し他方の箱状体１０をこれの側板２５，２６，２７が箱状体９の側板１７，１８，１９の外側に重なり合うように嵌合させる。箱状体９，１０の互いに重なり合う側板１７，１８，１９と側板２５，２６，２７との各重合部は両面接着テープや糊等で接合する。このように箱状体９，１０の側板同士を互いに重ね合わすことによりフィルター枠２の強度アップを図ることができ、フィルター枠２の型崩れや変形の防止効果を高め得る点で有利である。
【００２４】
このように組み立てられたエアーフィルターは、フィルター枠２の一側の空気流入用および他側の空気流出用の各開口部４，５は蓋７，８で塞がれているので、輸送や保管中にフィルター濾材１を破損、汚損などから十分に保護することができるともにフィルター枠２の変形を防止でき、また荷扱いをし易い。使用や設置に際しては蓋７，８を切取線６に沿って引きちぎることにより、図７、図８に示すように、フィルター枠２の一側の空気流入用および他側の空気流出用の各開口部４，５を容易に開放することができる。
【００２５】
上記実施例では、フィルター枠２を構成する２個の箱状体９，１０が共用側板２０を介して一体に繋がったものとしてあるが、これに代えて上記箱状体９，１０とほぼ同じ形状の箱状体をそれぞれ独立して形成し、この独立した２個の箱状体を互いに嵌合させることによってフィルター枠２を構成することもできる。エアーフィルター全体が大型になる場合は、図９に示すように、フィルター枠２の強度アップを図る目的で、空気流入用及び空気流出用の各開口部４，５に空気の通過を妨げない程度の幅を持つ補強桟３８が渡ってフィルター枠２と一体に残されるような蓋７，８の引きちぎる形態を採用することができる。
【００２６】
【発明の効果】
本発明によれば、紙製のフィルター枠の空気流入用及び空気流出用の各開口部は蓋で塞がれているので、輸送や保管中にフィルター濾材を破損、汚損などから十分に保護することができるともにフィルター枠の変形を防止でき、また使用、設置に際しては蓋を切取線に沿って引きちぎることにより空気流入用及び空気流出用の各開口部を容易に開放できて使用に即応できる、という利点がある。
【図面の簡単な説明】
【図１】本発明の一実施例を示すエアーフィルターの組み立て後の斜視図である。
【図２】図１におけるＡ−Ａ線断面図である。
【図３】図１におけるＢ−Ｂ線断面図である。
【図４】図１のエアーフィルターのフィルター枠の組み立て途上の状態を示す斜視図である。
【図５】図１のエアーフィルターのフィルター濾材の斜視図である。
【図６】図１のエアーフィルターのフィルター枠の展開平面図である。
【図７】図１のエアーフィルターを使用可能状態に変身させた状態の斜視図である。
【図８】図７におけるＣ−Ｃ線断面図である。
【図９】他の実施例を図７に相応して示す斜視図である。
【符号の説明】
１  フィルター濾材
２  フィルター枠
３  枠本体
４  空気流入用の開口部
５  空気流出用の開口部
７，８  蓋
９，１０  箱状体
１５，２８  箱底板
１７，１８，１９，２０，２５，２６，２７  側板
２９  フィルター濾材ずれ阻止片
３６  指挿入部
３７  両面接着テープ
【図１】
2004154653.tif 000003
【図２】
2004154653.tif 000004
【図３】
2004154653.tif 000005
【図４】
2004154653.tif 000006
【図５】
2004154653.tif 000007
【図６】
2004154653.tif 000008
【図７】
2004154653.tif 000009
【図８】
2004154653.tif 000010
【図９】
2004154653.tif 000011